(57)【特許請求の範囲】
【請求項１】
カードが投入または排出される入出部と、
前記入出部に連通する前記カードの搬送路に設けられ、前記カードに処理を施す処理部と、
前記処理部を挟んで前記入出部の反対側における搬送路に設けられ、前記カードを一時保留する保留機構と、
複数の前記カードを収容可能であり、収容された前記カードを前記搬送路に供給するホッパと、を備え、
前記ホッパは、前記保留機構を挟んで前記入出部の反対側において前記搬送路に連通し、
前記保留機構は、前記入出部から投入された前記カードを前記搬送路から退避させて保持するカード保持部と、前記ホッパから供給された前記カードを前記搬送路に沿って通過させるカード通過部と、を備え、
前記カード通過部は、前記カード保持部と前記搬送路との前記カードの受け渡し時を除いて、前記搬送路と連通する位置に配置され、
前記カード保持部は、前記搬送路との前記カードの受け渡し時に、前記搬送路と連通する位置に移動し、
前記保留機構は、前記カード通過部を通過する前記カードに移動力を付与する駆動ローラと、前記カード保持部で保持される前記カードに向かって付勢される従動ローラと、を備え、
前記従動ローラは、前記搬送路と前記カード保持部との前記カードの受け渡し時に、前記カード保持部とともに移動して、前記駆動ローラとの間で前記カードを挟持する、
カード処理装置。
【発明の詳細な説明】
【技術分野】
【０００１】
本発明の実施形態は、カード処理装置に関する。
【背景技術】
【０００２】
近年、交通分野における乗車券や定期券、行政分野等における身分証明書、各種決済手段としてのクレジットカード等、様々な場面でＩＣ（Ｉｎｔｅｇｒａｔｅｄ  Ｃｉｒｃｕｉｔ）カードが普及している。
【０００３】
このようなＩＣカード等に対し、情報の書き込み、情報の読み出し、カード表面への情報の印字、カード表面に記載された印字情報の消去等、所定の処理を実行するカード処理装置がある。このようなカード処理装置においては、所望の処理を行うに際し、カード処理装置の筐体に形成されたカード入出部からカードをカード処理装置内に取り込む。取り込んだカードは、カード処理装置内に設けられた処理部で所定の処理を施した後、カード入出部から排出される。
【０００４】
ここで、カード処理装置で、一連の処理の間に、複数枚のカードをカード処理装置内に取り込むことがある。
例えば、カードを交通機関乗車用の定期券に用いる場合で、カードに劣化や損傷が生じた場合にカードを更新（交換）することがある。このような場合、劣化や損傷が生じた旧カードをカード処理装置内に取り込み、旧カードに記憶された情報を読み出した後、旧カードをカード処理装置外に排出する。次いで、更新用の新カードをカード処理装置内に取り込み、旧カードから読み出した情報を新カードに書き込んだ後、新カードをカード処理装置外に排出する。しかる後、旧カードを、カード処理装置内に再度取り込み、旧カードに記載・記憶された情報や旧カード表面に記載された印字情報を消去し、旧カードを排出する。
このように、一連の処理の間に、カード処理装置内にカードを複数回取り込まなければならない。また、カード処理装置内においても、入出部とカード処理装置内の処理部との間で、カードを搬送しなければならない。このようにして、カード処理装置の動作に時間が掛かる場合があった。
このようなカード処理装置において、動作時間の短縮が望まれている。
【先行技術文献】
【特許文献】
【０００５】
【特許文献１】特開２００７−２６５１３６号公報
【発明の概要】
【発明が解決しようとする課題】
【０００６】
本発明が解決しようとする課題は、動作時間を短縮することができるカード処理装置を提供することである。
【課題を解決するための手段】
【０００７】
実施形態のカード処理装置は、入出部と、処理部と、保留機構と、ホッパと、を持つ。入出部は、カードが投入または排出される。処理部は、前記入出部に連通する前記カードの搬送路に設けられ、前記カードに処理を施す。保留機構は、前記処理部を挟んで前記入出部の反対側における前記搬送路に設けられ、前記カードを一時保留する。ホッパは、複数の前記カードを収容可能であり、収容された前記カードを前記搬送路に供給する。前記ホッパは、前記保留機構を挟んで前記入出部の反対側において前記搬送路に連通する。前記保留機構は、カード保持部と、カード通過部と、を備える。カード保持部は、前記入出部から投入された前記カードを前記搬送路から退避させて保持する。カード通過部は、前記ホッパから供給された前記カードを前記搬送路に沿って通過させる。前記カード通過部は、前記カード保持部と前記搬送路との前記カードの受け渡し時を除いて、前記搬送路と連通する位置に配置される。前記カード保持部は、前記搬送路との前記カードの受け渡し時に、前記搬送路と連通する位置に移動する。前記保留機構は、駆動ローラと、従動ローラと、を備える。駆動ローラは、前記カード通過部を通過する前記カードに移動力を付与する。従動ローラは、前記カード保持部で保持される前記カードに向かって付勢される。前記従動ローラは、前記搬送路と前記カード保持部との前記カードの受け渡し時に、前記カード保持部とともに移動して、前記駆動ローラとの間で前記カードを挟持する。
【図面の簡単な説明】
【０００８】
【図１】実施形態のカード処理装置の概略構成を模式的に示す断面図。
【図２】実施形態のカード処理装置の保留機構の構成を示す図であり、図１のＡ−Ａ矢視断面図。
【図３】実施形態の保留機構のカード保持部を移動させた状態を示す断面図。
【図４】実施形態の保留機構で、カード保持部と搬送路とのカードの受け渡しを行う状態を示す断面図。
【図５】実施形態の保留機構で、カード保持部でカードを一時保留し、カード通過部を搬送路と連通させた状態を示す断面図。
【図６】実施形態の保留機構で、カード保持部でカードを一時保留し、カード通過部をカードが通過する状態を示す断面図。
【図７】実施形態のカード処理装置で行うカードの処理の流れを示すフローチャート。
【発明を実施するための形態】
【０００９】
以下、実施形態のカード処理装置を、図面を参照して説明する。実施形態では、搬送路Ｒの搬送駆動ローラ３２側を下と称し、搬送路Ｒのピンチローラ３５側を上と称して説明するが、この上下方向は必ずしも鉛直上下方向に限られない。すなわちこの上下方向は、鉛直上下方向であってもよく、その他の方向であってもよい。
図１は、実施形態のカード処理装置の概略構成を模式的に示す断面図である。
図１に示すように、カード処理装置１００は、筐体１と、カード入出口（入出部）２と、搬送部３と、カード方向検出部４と、印刷処理部（処理部）５と、データ処理部（処理部）６と、保留部（保留機構）７と、カードホッパ部（ホッパ）８と、制御部９と、を備えている。このカード処理装置１００は、例えば、交通機関の定期券等の発行窓口等に設置され、ＩＣカード（カード）２００の再発行処理等を実行する。
【００１０】
筐体１は、カード処理装置１００の外殻をなし、例えば直方体状の中空箱状に形成されている。
【００１１】
カード入出口２は、カード処理装置１００の操作者が、カード処理装置１００の筐体１に対してＩＣカード２００を出し入れするため、筐体１の一側面１ａに設けられている。カード入出口２は、筐体１の内外を連通する開口部（図示無し）と、開口部の下縁部から筐体１の一側面１ａから外方に向かって延びるカードガイド部材２２と、を備える。
このようなカード入出口２において、矩形板状のＩＣカード２００は、カードガイド部材２２上に載せた状態から、開口部（図示無し）を通して筐体１内に挿入され、搬送部３に受け渡される。また、ＩＣカード２００は、搬送部３から、開口部（図示無し）を通して筐体１外に送り出され、カードガイド部材２２上に排出される。
【００１２】
搬送部３は、ガイド部材３１と、搬送駆動ローラ３２と、搬送駆動モータ３３と、駆動ベルト３４と、ピンチローラ３５と、を備えている。
【００１３】
ガイド部材３１は、ＩＣカード２００の搬送路Ｒを形成する。ガイド部材３１は、筐体１内において、カード入出口２が設けられた側面１ａ側から、側面１ａに対向する側面１ｂ側に向かって延びるよう設けられている。ガイド部材３１は、ＩＣカード２００の幅方向（図１の紙面に直交する方向）両側に二本一対で設けられ、ＩＣカード２００の幅方向両端部を支持し、ガイド部材３１が連続する方向（図１の紙面左右方向）にＩＣカード２００を搬送する。
【００１４】
搬送駆動ローラ３２は、ガイド部材３１によって形成される搬送路Ｒが連続する方向に沿って間隔を空けて複数設けられている。図１の例では、搬送駆動ローラ３２は、カード入出口２と印刷処理部５との間、印刷処理部５とデータ処理部６との間、データ処理部６と保留部７との間、保留部７とカードホッパ部８との間に、それぞれ設けられている。
各搬送駆動ローラ３２は、ＩＣカード２００の幅方向に間隔を空けて設けられた二本一対のガイド部材３１の中間部において、ガイド部材３１（搬送路Ｒ）の下方に配置されている。各搬送駆動ローラ３２は、搬送路Ｒで搬送されるＩＣカード２００に下方から突き当たるよう設けられている。
【００１５】
搬送駆動モータ３３は、これら複数の搬送駆動ローラ３２を、同一方向に連動させて回転駆動する。搬送駆動モータ３３と、複数の搬送駆動ローラ３２とには、無端状の駆動ベルト３４が掛け回されている。これにより、搬送駆動モータ３３で発生する回転駆動力が、駆動ベルト３４を介して複数の搬送駆動ローラ３２に伝達される。
【００１６】
ピンチローラ３５は、ガイド部材３１の上方で、各搬送駆動ローラ３２に対して上下方向で対向するよう設けられている。ピンチローラ３５は、図示しない支持部材に回転自在に設けられている。ピンチローラ３５は、ローラ下端部が、搬送路Ｒで搬送されるＩＣカード２００に上方から突き当たるよう設けられている。ピンチローラ３５は、図示しないスプリング等の付勢部材によって、搬送駆動ローラ３２側に向かって付勢されていてもよい。
【００１７】
このような搬送部３では、ＩＣカード２００は、搬送駆動モータ３３によって回転駆動される搬送駆動ローラ３２と、搬送駆動ローラ３２の回転に従動して回転するピンチローラ３５との間に挟み込まれると、ガイド部材３１に沿った方向に移動力を付与される。これにより、ＩＣカード２００は、搬送路Ｒに沿って搬送される。このとき、制御部９で、搬送駆動モータ３３の回転方向を切り換えることで、筐体１内におけるＩＣカード２００の搬送方向を切り換えることができる。
【００１８】
カード方向検出部４は、筐体１内で、カード入出口２側に配置されている。カード方向検出部４は、ガイド部材３１の上方に配置された上部センサ４１と、ガイド部材３１の下方に配置された下部センサ４２と、を備える。上部センサ４１は、搬送路Ｒに沿って搬送されるＩＣカード２００に上方から対向するよう設けられている。下部センサ４２は、搬送路Ｒに沿って搬送されるＩＣカード２００に下方から対向するよう設けられている。これら上部センサ４１、下部センサ４２は、ＩＣカード２００の所定位置に形成された認識マーク（図示無し）等の有無を検出する。上部センサ４１、下部センサ４２は、検出信号を制御部９に出力する。制御部９では、上部センサ４１、下部センサ４２で検出した認識マーク（図示無し）の有無に基づき、筐体１内に投入されたＩＣカード２００の向きが正しいか否かを検出する。
【００１９】
印刷処理部５は、カード方向検出部４と同様、筐体１内で、カード入出口２側に配置されている。印刷処理部５は、印字ヘッド５１と、消字ヘッド５２と、支持ローラ５３と、を備えている。印刷処理部５は、ＩＣカード２００の表面に対し、例えば定期区間や有効期限等の印字及び消去を行う。
【００２０】
印字ヘッド５１は、搬送路Ｒの上方に設けられ、ＩＣカード２００の上面に対し、制御部９から入力された情報を、文字やマーク等によって印刷する。
消字ヘッド５２は、搬送路Ｒの上方に設けられ、ＩＣカード２００の上面に印刷された文字やマーク等の情報を消去する。
【００２１】
支持ローラ５３は、印字ヘッド５１，消字ヘッド５２のそれぞれの下方に対向して設けられている。支持ローラ５３は、ＩＣカード２００に対して下方から突き当たるよう設けられている。これら支持ローラ５３は、搬送部３の駆動ベルト３４を介し、搬送駆動モータ３３によって搬送駆動ローラ３２と連動して回転駆動される。これら支持ローラ５３が回転駆動されると、印字処理、消字処理の前後に、ＩＣカード２００がガイド部材３１に沿って搬送される。また、支持ローラ５３は、印字ヘッド５１，消字ヘッド５２で印字，消字処理を行う際に、回転を停止し、ＩＣカード２００との間に生じる摩擦力によって、ＩＣカード２００が位置ズレしないように支持する。
【００２２】
データ処理部６は、筐体１内で、印刷処理部５に対し、カード入出口２の反対側に配置されている。データ処理部６は、ガイド部材３１の下方に、ヘッド６１を有している。ヘッド６１は、ＩＣカード２００に搭載された集積回路（図示無し）との間で非接触通信によるデータ伝送を行い、以下の各処理を施す。ヘッド６１は、集積回路（図示無し）のメモリ領域に対し、データを読み取る読取処理と、データを書き込む書込処理と、データを消去する消去処理と、を行う。なお、読取処理は、読み取ったデータを、制御部９、又はカード処理装置１００の外部の上位システムに設けられた記憶領域（図示せず）に保存する。また、書込処理は、保存したデータを、制御部９、又はこの記憶領域から受け取り、ＩＣカード２００に書き込む。データ処理部６は、制御部９により制御される。
【００２３】
図２〜図６は、図１のＡ−Ａ線に相当する部分における断面図である。図２は、実施形態のカード処理装置の保留機構の構成を示す断面図である。図３は、実施形態の保留機構のカード保持部を移動させた状態を示す断面図である。図４は、実施形態の保留機構で、カード保持部と搬送路とのカードの受け渡しを行う状態を示す断面図である。図５は、実施形態の保留機構で、カード保持部でカードを一時保留し、カード通過部を搬送路と連通させた状態を示す断面図である。図６は、実施形態の保留機構で、カード保持部でカードを一時保留し、カード通過部をカードが通過する状態を示す断面図である。
【００２４】
保留部７は、筐体１内で、印刷処理部５およびデータ処理部６に対し、カード入出口２の反対側に配置されている。保留部７はカード処理装置１００内に処理中のＩＣカード２００が２枚ある場合に、そのうちの１枚を搬送部３の搬送路Ｒから退避させて保持する。保留部７は、１枚を搬送路Ｒから退避させた状態で、もう１枚のＩＣカード２００を搬送路Ｒに沿って通過させる。
図２に示すように、保留部７は、下部ブロック７１と、上部ブロック７２と、軸部材７３ａと、可動部材７３と、ストッパ７４と、駆動ローラ７５と、ピンチローラ（従動ローラ）７６と、を備えている。
【００２５】
下部ブロック７１は、保留部７において下側に配置されている。下部ブロック７１は、板状の下部ベース部材７１ａと、下部支柱部材７１ｂ，７１ｂと、を備えている。
下部支柱部材７１ｂ，７１ｂは、下部ベース部材７１ａの上面の幅方向両側から上方に延びるよう設けられている。
【００２６】
上部ブロック７２は、下部ベース部材７１ａの上方に間隔を空けて設けられている。上部ブロック７２は、板状の上部ベース部材７２ａと、上部支柱部材７２ｂ，７２ｂと、を備えている。
上部支柱部材７２ｂ，７２ｂは、上部ベース部材７２ａの下面の幅方向両側から下方に延びるよう設けられている。
【００２７】
軸部材７３ａは、下部支柱部材７１ｂ，７１ｂと上部支柱部材７２ｂ，７２ｂとの間に配置され、上下方向に延びている。軸部材７３ａの周囲には、コイルスプリング等からなる付勢部材７３ｂが配置されている。付勢部材７３ｂは、可動部材７３に対して上方向に不勢力を付与する。
可動部材７３は、軸部材７３ａに沿って上下方向に移動可能に形成されている。可動部材７３は、ガイドレール支持部材７２ｃと、ローラ支持部材７２ｄと、を備えている。
【００２８】
ガイドレール支持部材７２ｃは、軸部材７３ａに外挿され、幅方向に間隔を空けて二本一対で設けられている。幅方向で互いに対向するガイドレール支持部材７２ｃ，７２ｃの幅方向内側には、それぞれ上部ガイドレール（カード保持部）７８と下部ガイドレール（カード通過部）７９とが設けられている。上部ガイドレール７８、下部ガイドレール７９は、搬送路ＲにおけるＩＣカード２００の搬送方向（図２の紙面に直交する方向）に沿って連続し、幅方向内側に開口するガイド溝７８ｍ、７９ｍを有している。この上部ガイドレール７８、下部ガイドレール７９は、幅方向両側のガイドレール支持部材７２ｃ、７２ｃに設けられることで、幅方向に間隔を空けて二本一対で設けられている。二本一対の上部ガイドレール７８，７８は、ガイドレール支持部材７２ｃ，７２ｃの上部に設けられ、下部ガイドレール７９，７９は、ガイドレール支持部材７２ｃ、７２ｃの下部に設けられている。図４〜図６に示すように、上部ガイドレール７８，７８、下部ガイドレール７９，７９のそれぞれは、ＩＣカード２００の幅方向両端部２００ａ，２００ａがガイド溝７８ｍ，７８ｍ、７９ｍ，７９ｍに挿入されることで、ＩＣカード２００を支持する。
【００２９】
ローラ支持部材７２ｄは、幅方向両側の上部支柱部材７２ｂ、７２ｂの幅方向内側で、ガイドレール支持部材７２ｃ、７２ｃ上に跨がるように設けられている。
【００３０】
ストッパ７４は、下部支柱部材７１ｂ，７１ｂの幅方向内側で、下部ベース部材７１ａ上に設けられている。ストッパ７４はブロック状で、可動部材７３の下方への移動量を規制する。ストッパ７４の内部には、ソレノイド（図示無し）が設けられている。ソレノイドは、可動部材７３に対して下方向に電磁吸引力を付与する。ソレノイドの作動は、制御部９（図１参照）によって制御される。
通常時の保留部７は、付勢部材７３ｂの付勢力によって、可動部材７３を上昇した状態に維持する。ソレノイドを作動させると、付勢部材７３ｂ、７３ｂの付勢力に抗して電磁吸引力が作用し、可動部材７３が下降する。また、ソレノイドの作動を停止すると、付勢部材７３ｂの付勢力によって可動部材７３は再び上昇する。
【００３１】
ここで、付勢部材７３ｂの付勢力によって可動部材７３が上昇して上部支柱部材７２ｂに突き当たった状態にあるときには、下部ガイドレール７９，７９が搬送部３の搬送路Ｒと同じ高さｒ（図２中に二点鎖線で図示した）に位置する。また、図３に示すように、可動部材７３が下降してストッパ７４上に突き当たった状態では、上部ガイドレール７８，７８が搬送部３の搬送路Ｒと同じ高さｒとなる。
【００３２】
駆動ローラ７５は、下部ベース部材７１ａ上で、幅方向中間部に設けられた上向きＵ字状のローラ支持部材７５ａに回転自在に支持されている。駆動ローラ７５には、搬送部３の駆動ベルト３４（図１参照）が掛け回されている。駆動ローラ７５は、搬送駆動モータ３３によって搬送部３の搬送駆動ローラ３２と連動して回転する。
【００３３】
ピンチローラ７６は、駆動ローラ７５の上方に間隔を空けて設けられている。ピンチローラ７６は、可動部材７３のローラ支持部材７２ｄに、回転自在に支持されている。また、ピンチローラ７６は、ローラ支持部材７２ｄとの間に設けられたコイルスプリング等の付勢部材７５ｆによって下方に向かって付勢されている。ここで、図４に示すように、ピンチローラ７６は、上部ガイドレール７８，７８にＩＣカード２００が支持された状態で、ＩＣカード２００に上方から突き当たるよう設けられている。
【００３４】
このような保留部７は、通常状態では、図２に示すように、可動部材７３が付勢部材７３ｂによって上方に付勢されることによって上昇状態にあり、下部ガイドレール７９，７９が、前後の搬送部３の搬送路Ｒと同じ高さｒに位置する。これにより、搬送部３の搬送路Ｒと下部ガイドレール７９，７９とが連通し、搬送路Ｒで搬送されるＩＣカード２００は、保留部７において、下部ガイドレール７９，７９を通過する。この状態で、駆動ローラ７５が下部ガイドレール７９，７９に支持されたＩＣカード２００に下方から突き当たるので、その回転力によってＩＣカード２００を所定の方向に送ることができる。
【００３５】
また、図３に示すように、保留部７において、ストッパ７４のソレノイドを作動させ、可動部材７３が下降すると、上部ガイドレール７８，７８が前後の搬送部３の搬送路Ｒと同じ高さｒに位置する。これにより、図４に示すように、搬送部３によって搬送されるＩＣカード２００は、保留部７において、上部ガイドレール７８，７８に受け渡される。この状態で、駆動ローラ７５は、上部ガイドレール７８、７８に支持されたＩＣカード２００に下方から突き当たる。また、ピンチローラ７６は、上部ガイドレール７８、７８に支持されたＩＣカード２００の上面２００ｕに突き当たる。これにより、上部ガイドレール７８、７８に支持されたＩＣカード２００は、駆動ローラ７５とピンチローラ７６との間に挟み込まれる。このとき、駆動ローラ７５の回転を停止させれば、上部ガイドレール７８，７８内の所定位置でＩＣカード２００の移動を停止させ、上部ガイドレール７８，７８内に留めることができる。
【００３６】
図５に示すように、ＩＣカード２００を上部ガイドレール７８，７８内に留めたら、ソレノイドの作動を停止し、付勢部材７３ｂ、７３ｂの付勢力によって可動部材７３を上昇させる。すると、下部ガイドレール７９，７９が搬送部３の搬送路Ｒと同じ高さｒに位置し、上部ガイドレール７８，７８は上方に移動する。これによって、上部ガイドレール７８，７８内のＩＣカード２００を、搬送部３の搬送路Ｒから上方に退避した状態で保留することができる。図６に示すように、この状態で、下部ガイドレール７９，７９が搬送部３の搬送路Ｒに連通するので、搬送路Ｒに沿って搬送されるＩＣカード２００は、下部ガイドレール７９，７９を通過することができる。
【００３７】
図１に示すように、カードホッパ部８は、筐体１内で、印刷処理部５、データ処理部６、保留部７に対し、カード入出口２の反対側に配置されている。カードホッパ部８は、ホッパ本体８１と、繰出ローラ８２と、駆動モータ８３と、を備えている。
【００３８】
ホッパ本体８１は、中空箱状で、その内部に、複数枚の未使用の新規ＩＣカード２００が積層されて収納されている。ホッパ本体８１には、保留部７側を向き、ガイド部材３１によって形成される搬送路Ｒに連通する繰出口８１ａが形成されている。
【００３９】
繰出ローラ８２は、ホッパ本体８１内に積層された複数枚の新規のＩＣカード２００のうち、最下段のＩＣカード２００の下面に突き当たるよう設けられている。駆動モータ８３は、駆動ベルト８４を介し、繰出ローラ８２を回転駆動する。駆動モータ８３によって繰出ローラ８２が回転駆動されると、ホッパ本体８１内に積層された複数枚のＩＣカード２００のうち、最下段のＩＣカード２００のみが繰出口８１ａを通して繰り出される。繰出口８１ａには、搬送部３の搬送路Ｒを形成するガイド部材３１が近接配置されている。
【００４０】
駆動モータ８３は、例えば、ステッピングモータが用いられ、後述する制御部９により制御される。繰出ローラ８２は、例えば、摩擦係数が高いゴムローラが用いられる。
【００４１】
制御部９は、これまでに挙げてきた各部と信号の授受を行い、また、各部の制御を行うものである。
【００４２】
次に、上記したようなカード処理装置１００の動作を、ＩＣカード２００の再発行を例にとって説明する。以下の説明において、カード処理装置１００の動作は、操作者による操作や、各部に設けられたセンサ（図示）におけるＩＣカード２００の検出等に応じ、予め設定されたコンピュータプログラムに基づいた制御部９の制御によって自動的に実行されるものである。ここで、カード処理装置１００においては、劣化や破損したＩＣカード２００を、新たなＩＣカード２００に更新する処理を行うものとする。そこで、区別のため、劣化や破損したＩＣカード２００を、旧ＩＣカード２００Ｋと称し、新たなＩＣカード２００を新規ＩＣカード２００Ｎと適宜称する。
【００４３】
図７は、実施形態のカード処理装置で行うカードの処理の流れを示すフローチャートである。
図１に示すように、カード処理装置１００の操作者は、劣化や破損した旧ＩＣカード２００Ｋをカード入出口２に挿入する（ステップＳ１０１）。
旧ＩＣカード２００Ｋがカード入出口２に挿入されると、搬送部３のカード入出口２に近接する搬送駆動ローラ３２が搬送駆動モータ３３によって回転駆動される。旧ＩＣカード２００Ｋは、搬送駆動モータ３３とピンチローラ３５とによって上下を挟まれ、ガイド部材３１によって形成される搬送路Ｒに沿って筐体１内に取り込まれる。
【００４４】
筐体１内に取り込まれた旧ＩＣカード２００Ｋは、カード方向検出部４で、カード挿入方向（向き）が正しいか否かが確認される（ステップＳ１０２）。具体的には、カード方向検出部４の上部センサ４１および下部センサ４２により、搬送路Ｒに沿って移動する旧ＩＣカード２００Ｋに、定められた認識マークが有るか否かを検出する。上部センサ４１、下部センサ４２での検出信号は、制御部９に転送される。ここで制御部９は、上部センサ４１および下部センサ４２のいずれか一方で、定められた認識マークが検出されれば、旧ＩＣカード２００Ｋの投入方向が正しいと判定する（ステップＳ１０２で「Ｙ」）。また、制御部９は、上部センサ４１および下部センサ４２の双方で、定められた認識マークが検出されない場合、旧ＩＣカード２００Ｋの挿入方向が誤っていると判定する（ステップＳ１０２で「Ｎ」）。その場合、搬送駆動モータ３３によって搬送駆動ローラ３２を逆回転させ、筐体１内に取り込まれた旧ＩＣカード２００Ｋをカード入出口２側に戻して排出する（ステップＳ１０３）。旧ＩＣカード２００Ｋがカード入出口２から排出された場合、操作者は、旧ＩＣカード２００Ｋの向きを目視で確認した後に、カード入出口２に再度挿入する（図７の「Ａ」）。
【００４５】
ステップＳ１０２で、挿入方向が正しいと判定された場合、旧ＩＣカード２００Ｋは、搬送部３によりデータ処理部６へと搬送される。
データ処理部６では、旧ＩＣカード２００Ｋの集積回路のメモリ領域に記憶されたデータ、例えば所有者情報、定期券の区間および期間等の情報を、ヘッド６１で読み取る（ステップＳ１０４）。
ヘッド６１で読み取ったデータは、制御部９へと転送され、制御部９の記憶領域に記憶される。
【００４６】
データ読取を終えた旧ＩＣカード２００Ｋは、搬送部３により保留部７へと搬送される。保留部７は、データ処理部６から搬送されてきた旧ＩＣカード２００Ｋを、一時的に保留する（ステップＳ１０５）。
ここで、保留部７は、図２に示す通常状態から、図３に示すように、ストッパ７４のソレノイドを作動させ、可動部材７３を下降させる。これにより、図４に示すように、搬送部３の搬送路Ｒに沿ってデータ処理部６から搬送されてきた旧ＩＣカード２００Ｋは、上部ガイドレール７８，７８に入り込む。旧ＩＣカード２００Ｋが上部ガイドレール７８，７８に入りこんだら、駆動ローラ７５を所定のタイミングで停止させる。これにより、旧ＩＣカード２００Ｋは、上部ガイドレール７８、７８に支持され、駆動ローラ７５とピンチローラ７６との間に挟み込まれた状態で停止する。次いで、図５に示すように、ソレノイドの作動を停止し、付勢部材７３ｂ、７３ｂの付勢力によって可動部材７３を上昇させる。すると、下部ガイドレール７９，７９が搬送部３の搬送路Ｒとじ高さｒに位置し、上部ガイドレール７８，７８は上方に移動する。これによって、上部ガイドレール７８，７８内の旧ＩＣカード２００Ｋを、搬送部３に連続する搬送経路から上方に退避した状態で保留することができる。
【００４７】
次に、未使用の新規ＩＣカード２００Ｎを供給する（ステップＳ２０１）。これには、新規ＩＣカード２００Ｎを、カード入出口２から操作者が挿入して供給する場合と、カードホッパ部８から供給する場合と、の２通りがある。
【００４８】
新規ＩＣカード２００Ｎを、カード入出口２から操作者が挿入して供給する場合は、新規ＩＣカード２００Ｎがカード入出口２に挿入されると、搬送部３のカード入出口２に近接する搬送駆動ローラ３２が搬送駆動モータ３３によって回転駆動される。新規ＩＣカード２００Ｎは、搬送駆動モータ３３とピンチローラ３５とによって上下を挟まれ、搬送路Ｒに沿って筐体１内に取り込まれ、カード方向検出部４へと搬送される。
【００４９】
また、新規ＩＣカード２００Ｎをカードホッパ部８から供給する場合、駆動モータ８３で繰出ローラ８２を回転駆動し、ホッパ本体８１内に積層された中の最下部の新規ＩＣカード２００Ｎを繰出口８１ａから繰り出す。繰り出された新規ＩＣカード２００Ｎは、搬送部３の搬送路Ｒに受け渡され、カード方向検出部４へと搬送される。
このとき、図１に示すように、カードホッパ部８に対してカード方向検出部４側には、旧ＩＣカード２００Ｋを保留した保留部７が存在する。図５に示すように、この保留部７においては、可動部材７３を上昇させて、旧ＩＣカード２００Ｋを保留した上部ガイドレール７８を上方に退避させ、下部ガイドレール７９が搬送部３の搬送路Ｒと同じ高さｒに位置している。したがって、図６に示すように、カードホッパ部８から繰り出された新規ＩＣカード２００Ｎは、保留部７の下部ガイドレール７９を通過してカード方向検出部４へと搬送される。すなわち、保留した旧ＩＣカード２００Ｋが新規ＩＣカード２００Ｎの搬送の障害となることがない。
【００５０】
このようにして、カード入出口２またはカードホッパ部８から供給された新規ＩＣカード２００Ｎは、カード方向検出部４で、カードの挿入方向（向き）が正しいか否かが確認される（ステップＳ２０２）。
具体的には、前記ステップＳ１０２と同様にして、カード方向検出部４の上部センサ４１および下部センサ４２で、新規ＩＣカード２００Ｎに形成された、定められた認識マークの有無を検出する。上部センサ４１、下部センサ４２での検出信号は、制御部９に転送される。ここで制御部９は、上部センサ４１および下部センサ４２のいずれか一方で、定められた認識マークが検出されれば、新規ＩＣカード２００Ｎの方向が正しいと判定する（ステップＳ２０２で「Ｙ」）。また、制御部９は、上部センサ４１および下部センサ４２の双方で、定められた認識マークが検出されない場合、新規ＩＣカード２００Ｎの投入方向が誤っていると判定する（ステップＳ２０２で「Ｎ」）。その場合、制御部９は、新規ＩＣカード２００Ｎの向きが間違っていることを表す異常通知を、アラーム音やランプの点灯、アラーム情報の表示等によって行う（ステップＳ２０３）。次いで、搬送駆動モータ３３によって搬送駆動ローラ３２を回転させ、新規ＩＣカード２００Ｎをカード入出口２側に搬送して排出する（ステップＳ２０４）。新規ＩＣカード２００Ｎがカード入出口２から排出された場合、操作者は、新規ＩＣカード２００Ｎの向きを目視で確認した後、カード入出口２から再度供給する（図７の「Ｂ」）。
【００５１】
ステップＳ２０２で、投入方向が正しいと判定された場合、新規ＩＣカード２００Ｎは、搬送部３によりデータ処理部６へと搬送される。データ処理部６では、新規ＩＣカード２００Ｎに、旧ＩＣカード２００Ｋの集積回路のメモリ領域に記憶されていたデータを書き込む（ステップＳ２０５）。具体的には、ステップＳ１０４で読取り処理を行い、制御部９の記憶領域に記憶されていたデータを、制御部９からヘッド６１に転送する。ヘッド６１は、転送されてきたデータを、新規ＩＣカード２００Ｎの集積回路のメモリ領域に記憶させて書き込む。
【００５２】
データの書込み処理を終えた新規ＩＣカード２００Ｎは、搬送部３により、印刷処理部５へと搬送される。
印刷処理部５では、新規ＩＣカード２００Ｎの表面への印字処理を行う（ステップＳ２０６）。具体的には、印刷処理部５において、ガイド部材３１，３１に保持された新規ＩＣカード２００Ｎの表面に対し、印字ヘッド５１で所定の印字処理を行う。印字ヘッド５１で印字すべき情報は、制御部９から転送される。印字すべき情報としては、例えば、定期券の区間、有効期限、所有者氏名等である。
【００５３】
印字処理の終了後、新規ＩＣカード２００Ｎは、搬送部３によりカード入出口２へと搬送され、筐体１外に排出される（ステップＳ２０７）。操作者は、カード入出口２から新規ＩＣカード２００Ｎを取り出す。
【００５４】
新規ＩＣカード２００Ｎの排出後、保留部７に一時的に保留した旧ＩＣカード２００Ｋを、保留部７から繰り出す（ステップＳ３０１）。
具体的には、図４に示すように、保留部７でストッパ７４のソレノイドを作動させ、可動部材７３を下降させる。これにより、旧ＩＣカード２００Ｋを保持した上部ガイドレール７８，７８が、搬送部３の搬送路Ｒと同じ高さｒとなる。すると、上部ガイドレール７８、７８に支持された旧ＩＣカード２００Ｋは、駆動ローラ７５とピンチローラ７６との間に挟み込まれる。次いで、駆動ローラ７５を回転させる。これにより、上部ガイドレール７８、７８に支持された旧ＩＣカード２００Ｋは、搬送部３の搬送路Ｒへと受け渡される。
【００５５】
繰り出された旧ＩＣカード２００Ｋは、データ処理部６へと搬送される。そしてデータ処理部６のヘッド６１で、旧ＩＣカード２００Ｋの集積回路のメモリ領域に記憶されていたデータが消去される（ステップＳ３０２）。
【００５６】
次いで、データの消去処理を終えた旧ＩＣカード２００Ｋは、搬送部３により、印刷処理部５へと搬送される。
印刷処理部５では、旧ＩＣカード２００Ｋの表面に印字されていた情報の消去処理を行う（ステップＳ３０３）。具体的には、印刷処理部５において、旧ＩＣカード２００Ｋの表面に対し、消字ヘッド５２で所定の消字処理を行う。
【００５７】
印字処理の終了後、旧ＩＣカード２００Ｋは、搬送部３によりカード入出口２へと搬送され、筐体１外に排出される（ステップＳ３０４）。操作者は、カード入出口２から旧ＩＣカード２００Ｋを取り出す。
このようにして、旧ＩＣカード２００Ｋに記憶された情報および旧ＩＣカード２００Ｋに印字されていた情報が、新規ＩＣカード２００Ｎへと移され、新規ＩＣカード２００Ｎへの更新作業が完了する。また、旧ＩＣカード２００Ｋは、記憶された情報が消去されるとともに、表面に印字された情報も消去されているので、旧ＩＣカード２００Ｋが誤用または悪用されるのを防ぐことができる。
【００５８】
このように、上述の実施形態によれば、保留部７を備えることで、処理途中のＩＣカード２００を一旦排出することなく、装置内に保留することができる。したがって、一連の処理を実行するのに必要なカード処理装置１００の動作時間を短縮できる。
また、印刷処理部５およびデータ処理部６を挟んでカード入出口２の反対側に保留部７を備えた。これにより、カード入出口２から投入されたＩＣカード２００は、保留が必要なときにだけ保留部７に受け渡される。したがって、ＩＣカード２００が、保留部７を不必要に通過するのを減少させ、動作時間を短縮できる。
【００５９】
また、カードホッパ部８は、保留部７を挟んでカード入出口２の反対側において搬送部３に連通している。さらに、保留部７は、カード入出口２から投入されたＩＣカード２００を搬送部３から退避させて保持する上部ガイドレール７８，７８と、カードホッパ部８から供給されたＩＣカード２００を搬送部３に沿って通過させる下部ガイドレール７９，７９と、を備える。
これにより、ＩＣカード２００再発行の際に、カード入出口２から投入された旧ＩＣカード２００Ｋを保留部７で一時保留しつつ、カードホッパ部８から供給された新規ＩＣカード２００Ｎは、保留部７をそのまま通過させて処理できる。これにより、新規ＩＣカード２００Ｎをカードホッパ部８から供給して処理することが可能になり、新規ＩＣカード２００Ｎをカード入出口２から投入する必要がなくなる。これによっても、動作時間を短縮できる。
【００６０】
また、下部ガイドレール７９，７９は、上部ガイドレール７８，７８と搬送部３とのＩＣカード２００の受け渡し時以外は搬送部３と連通する位置に配置される。さらに、上部ガイドレール７８，７８は、搬送部３とのＩＣカード２００の受け渡し時に、搬送部３と連通する位置に移動する。
これにより、搬送部３とのＩＣカード２００の受け渡し時のみに上部ガイドレール７８，７８が搬送部３と連通するので、保留部７の動作に必要なエネルギーを抑制できる。
【００６１】
また、保留部７は、駆動ローラ７５と、ピンチローラ７６と、を備える。さらに、搬送部３と保留部７との間で、旧ＩＣカード２００Ｋの受け渡しを行う時に、ピンチローラ７６と駆動ローラ７５との間でＩＣカード２００を挟持する。
これにより、旧ＩＣカード２００Ｋに変形等がある場合でも、旧ＩＣカード２００Ｋを確実に受け渡すことができる。また、カードホッパ部８から供給される新規ＩＣカード２００Ｎには変形がないので、下部ガイドレール７９，７９を通過する新規ＩＣカード２００Ｎに対しては、駆動ローラ７５のみによって、確実に移動力を付与することができる。
【００６２】
上記実施形態では、カード方向検出部４として、上部センサ４１および下部センサ４２を設けたが、その配置等は適宜設定すればよい。また、上部センサ４１および下部センサ４２のいずれか一方のみを設けるようにしてもよい。
【００６３】
また、印刷処理部５に、印字ヘッド５１と消字ヘッド５２とを備えるようにしたが、消字ヘッド５２を省略することもできる。その場合、消字ヘッド５２で表面印字を消字する代わりに、印字ヘッド５１で旧ＩＣカード２００Ｋの表面に、×印や「無効」等といった印字を行う。
また、印刷処理部５は、一つのサーマルヘッドが、印字ヘッド５１と消字ヘッド５２の両方の役割を果たす場合もある。サーマルヘッドが発する熱のエネルギーの高低によって発色、すなわち印字処理と、消色、すなわち消字処理と、の両方が行える場合等である。
【００６４】
また、駆動ローラ７５を、搬送駆動モータ３３によって搬送部３の搬送駆動ローラ３２と連動して回転させるようにしたが、駆動ローラ７５を回転させるモータを別途そなえるようにしてもよい。
【００６５】
また、印刷処理部５とデータ処理部６とを備えるようにしたが、例えば、ＩＣカード２００の表面に印刷を行わない場合、データ処理部６のみを備えるようにしてもよい。また、データ処理部６での処理内容は、いかなるものであってもよい。さらに、印刷処理部５やデータ処理部６に代えて、他の処理を行う処理部を備えることもできる。
【００６６】
さらに、カードホッパ部８を備えるようにしたが、カードホッパ部８を省略した構成とすることも可能である。
【００６７】
また、可動部材７３の上下動に、付勢部材７３ｂとソレノイドとを用いたが、これに代えて、エアシリンダや油圧シリンダ、アクチュエータ等、他の機構を用いてもよい。
【００６８】
また、処理対象となるカードは、ＩＣカード２００に限らず、磁気カード等、他のカードであっても構わない。
【００６９】
以上説明した少なくともひとつの実施形態によれば、印刷処理部５およびデータ処理部６を挟んでカード入出口２の反対側に保留部７を持つことにより、カード処理装置の動作時間を短縮することができる。
【００７０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７１】
Ｒ…搬送路、２…カード入出口（入出部）、５…印刷処理部（処理部）、６…データ処理部（処理部）、７…保留部（保留機構）、８…カードホッパ部（ホッパ）、７５…駆動ローラ、７６…ピンチローラ（従動ローラ）、７８…上部ガイドレール（カード保持部）、７９…下部ガイドレール（カード通過部）、１００…カード処理装置、２００…ＩＣカード（カード）、２００Ｋ…旧ＩＣカード（カード）、２００Ｎ…新規ＩＣカード（カード）
【図１】
0006595272.tif 000002
【図２】
0006595272.tif 000003
【図３】
0006595272.tif 000004
【図４】
0006595272.tif 000005
【図５】
0006595272.tif 000006
【図６】
0006595272.tif 000007
【図７】
0006595272.tif 000008